(57)【要約】【課題】多波長伝送により１伝送路で２回線伝送を実現することで、リアルタイム性の必要な高速度の定期伝送に影響なく、イベントまたは要求による大容量の伝送を行うことができる中央監視制御装置を提供する。【解決手段】伝送回路として定期伝送回路とメッセージ伝送回路の２回線から構成されており、この２回線を波長合成・分離回路経由にて１伝送路で中央処理装置と接続することにより１回線目でリアルタイム性の必要な高速度な伝送を行い、２回線目でイベント発生または中央処理装置からの要求により、リアルタイム性の必要の低い大容量の伝送を行うことによりリアルタイム性の必要な監視制御データに影響なく、イベントまたは要求による大容量の伝送を行うことができる。【選択図】図１
2005094217.tif 000002
【特許請求の範囲】
【請求項１】
伝送回路として定期伝送回路とメッセージ伝送回路の２回線から構成され、この２回線を波長合成・分離回路経由にて１伝送路で中央処理装置と接続することにより１回線目でリアルタイム性の必要な高速度な伝送を行い、２回線目でイベント発生または中央処理装置からの要求によりリアルタイム性の必要の低い大容量の伝送を行うことにより、リアルタイム性の必要な監視制御データに影響なく、イベントまたは要求による大容量の伝送を行うことができることを特徴とする中央監視制御装置。
【請求項２】
定期伝送回路には状態／故障、操作、計測値、パルス積算値などのリアルタイム性の高速伝送を行い、メッセージ伝送回路には動作記録、イベント発生要求時トレンドデータ、監視カメラ画像などの大容量伝送を行うことを特徴とする請求項１記載の中央監視制御装置。
【発明の詳細な説明】
【技術分野】
【０００１】
本発明はリアルタイム性の高速度の定期伝送に影響することなく、イベントによる大容量伝送を行うことができる中央監視制御装置に関する。
【背景技術】
【０００２】
中央監視制御装置では、状態／故障監視、操作、計測値表示、パルス積算、状態／故障動作、操作記録、計測値トレンド表示を主な機能とし、これら機能に基づいて監視制御を行っている。
【０００３】
ここで、状態／故障、操作記録や計測値トレンド表示機能は、伝送容量、応答速度の制約からリモートステーションからの伝送信号を基に中央処理装置側で変化記録、サンプリングを行っていることが多い。
【０００４】
しかしながら、状態／故障、操作記録は、中央処理装置側で、リモートステーションからの伝送信号を基に変化検出するため、伝送周期以下の変化を検出できない。そのため、故障トリップで機器が停止した場合に記録として状態変化→故障発生のように反転した記録となってしまうことがあった。
【０００５】
また、計測値トレンド表示は、上記同様に伝送周期以下のサンプリングを行えないため、機器起動／停止、故障発生時の瞬時的な電流、電圧変化をみることはできず、低周期の変動確認しかできなかった。
【０００６】
このような問題に対処するため、リモートステーション側にて処理し、中央処理装置に伝送を行う場合は、伝送容量、応答速度の制約から従来技術では図４に示すように、イベントまたは要求発生時に通常の定期伝送データにメッセージ伝送データを付加することにより、状態／故障、操作記録、計測値トレンドデータ等の伝送取り合いを行っている。  
すなわち、ＳＴＮ１からＳＴＮ２へＲｅｇを出すと、ＳＴＮ２ではＳＴＮ１へＡＣＫを出す。これにより伝送データにメッセージ伝送フレームにＡｎｓ(1)が付加される。
【０００７】
この場合、定期伝送にメッセージ伝送データを追加し行うため、定周期伝送周期に影響がない範囲のデータ量しか伝送できないことになり、大きなデータを伝送する場合には、Ａｎｓ(1)とＡｎｓ(2)のように分割伝送となり応答性が悪かった。
【０００８】
また、特許文献１に記載のように、主系統通信とは、異なるキャリア周波数によって子局で発生した緊急通信データをＦＭ変調し、主系統通信のＦＭ変調波と共に周波数多重化した波で子局のＥ／Ｏを光強度変調し、親局に送信するように構成されているので、ＦＭ変調部と、合成出力するスイッチと、Ｅ／Ｏ変換部と、それを駆動する駆動手段と、フィルタ分離部とＦＭ復調部等を各子局に設置する必要があり、追加する設備が高価になるという問題があった。
【特許文献１】特開２０００−１５１６５９号公報
【発明の開示】
【発明が解決しようとする課題】
【０００９】
本発明は、多波長伝送により１伝送路で２回線伝送を実現することで、定期伝送およびメッセージ伝送を独立した回線での伝送を行うことにより、リアルタイム性の必要な高速度の定期伝送に影響なく、イベントまたは要求による大容量の伝送を行うことができる中央監視制御装置を提供することにある。
【課題を解決するための手段】
【００１０】
上記課題を解決するために、請求項１に記載の発明は伝送回路として定期伝送回路とメッセージ伝送回路の２回線から構成されており、この２回線を波長変換合成・分離回路経由にて１伝送路で中央処理装置と接続することにより、１回線目でリアルタイム性の必要な高速度な伝送を行い、２回線目でイベント発生または中央処理装置からの要求により、リアルタイム性の必要の低い大容量の伝送を行うことによりリアルタイム性の必要な監視制御データに影響なく、イベントまたは要求による大容量の伝送を行うことができる。
【００１１】
請求項２に記載の発明は、定期伝送回路には状態／故障、操作、計測値、パルス積算値などのリアルタイム性の高速伝送を行い、メッセージ伝送回路には動作記録、イベント発生要求時トレンドデータ、監視カメラ画像等の大容量伝送を行うことを特徴とする。
【発明の効果】
【００１２】
本発明によると、伝送路の未使用帯域による多波長伝送にて、１回線で２回線伝送を実現することにより、リアルタイム性の必要な高速度の定期伝送（監視制御データ；状態／故障、操作、計測、パルス積算伝送）に影響なく、イベントまたは要求による大容量の伝送（動作記録、トレンドデータ、監視カメラ画像伝送）を行うことができ、また、既設リプレースにて伝送路の配線し直しを行わなくても、新規追加機能を２回線目の伝送で行うことができる。
【発明を実施するための最良の形態】
【００１３】
本発明の中央監視制御装置は、伝送回路として定期伝送回路とメッセージ伝送回路の２回線から構成されており、この２回線を波長合成・分離回路経由にて１伝送路で中央処理装置と接続することにより１回線目でリアルタイム性の必要な高速度な伝送を行い、２回線目でイベント発生または中央処理装置からの要求により、リアルタイム性の必要の低い大容量の伝送を行うことによりリアルタイム性の必要な監視制御データに影響なく、イベントまたは要求による大容量の伝送を行うことができる。
【実施例１】
【００１４】
図１は、本発明の実施例１の構成図である。  
伝送回路として、定期伝送回路２とメッセージ伝送回路３の２回線から構成されておりこの２回線は、波長合成・分離回路４経由にて１伝送路１０と接続している。
【００１５】
演算処理部５は、Ｉ／Ｏ処理部７経由にて信号を入出力し、入力したデータの動作記録、トレンドデータをメモリ６に保存する。  
伝送処理としては、定期伝送にてリアルタイム性の必要な高速度な伝送を行う。
【００１６】
メッセージ伝送では、イベント発生（状態／故障変化等）、または、中央処理装置からの要求時により、リアルタイム性の必要の低い伝送を行う。例えば、ＳＴＮ１からＳＴＮ２へＲｅｇを出すと、ＳＴＮ２ではＡＣＫをＳＴＮ１へ通知する。この通知によりＡｎｓを分割することなく伝送することができる。
【００１７】
本実施例１の機能を図２を参照して説明する。  
定期伝送としては、リアルタイム性が必要な監視制御データの取り合いを行う。すなわち、状態／故障、操作の高速周期、計測値の中速周期、パルス積算値の低速周期の取り合いを行う。
【００１８】
メッセージ伝送では、状態／故障変化時に、動作記録データとして変化時刻付きで状態／故障信号を伝送し、央処理装置にて動作記録の編集表示を行う。また、機器起動／停止、故障発生などのイベント時、または、中央処理装置からの要求にて一定時間保存してある瞬時トレンドデータの伝送を行う。
【００１９】
本実施例によると、伝送路の未使用帯域による多波長伝送にて、１回線で２回線伝送を実現することにより、リアルタイム性の必要な高速度の定期伝送（監視制御データ；状態／故障、操作、計測、パルス積算伝送）に影響なく、イベントまたは要求による大容量の伝送（動作記録、トレンドデータ、監視カメラ画像伝送）を行うことができる効果がある。  
また、既設リプレースにて伝送路の配線し直しを行わなくても、新規追加機能を２回線目の伝送で行うことができる。
【実施例２】
【００２０】
本発明の実施例２の機能を図３に示す。  
定期伝送は、上記実施例１と同じく監視制御データの取り合いを行う。
【００２１】
メッセージ伝送は、異常発生などのイベント時、または、低周期にて監視カメラ画像（ＩＴＶ）の伝送を行う。
【図面の簡単な説明】
【００２２】
【図１】本発明の実施例１の構成図。
【図２】図１の中央監視制御装置の詳細図。
【図３】本発明の実施例２の中央監視制御装置の詳細図。
【図４】従来の中央監視制御装置の構成図。
【符号の説明】
【００２３】
１…中央監視制御装置、２…定期伝送回路、３…メッセージ伝送回路、４…波長合成分離回路、５…演算処理部、６…メモリ、７…Ｉ／Ｏ、８…監視制御データ、９，９ａ…メッセージ伝送データ、１０…伝送路。
【図１】
2005094217.tif 000003
【図２】
2005094217.tif 000004
【図３】
2005094217.tif 000005
【図４】
2005094217.tif 000006